(57)【要約】【課題】  香りによって快適に生活することができる扇風機を提供する。【解決手段】  羽根１を取付けるネジ孔付きの締付部材３に、中空収納部を形成して、中空収納部に香りを発する芳香物質を収納する。締付部材３が、中空収納部を開閉可能として芳香物質を交換する開閉部Ｋ1 を備える。【選択図】  図２
0003101884.tif 000002
【実用新案登録請求の範囲】
【請求項１】
羽根（１）を取付けるネジ孔（２）付きの締付部材（３）に、中空収納部（４）を形成して、該中空収納部（４）に香りを発する芳香物質（５）を収納し、上記締付部材（３）が、上記中空収納部（４）を開閉可能として芳香物質（５）を交換する開閉部（Ｋ1 ）を備えたことを特徴とする扇風機。
【請求項２】
後面カバー（12）又はモータケーシング（16）に、芳香物質（５）を収納する芳香物質収納部材（13）を付設し、該芳香物質収納部材（13）の芳香物質収納部（14）に芳香物質（５）を収納し、上記芳香物質収納部材（13）が、上記芳香物質収納部（14）を開閉可能として芳香物質（５）を交換する開閉部（Ｋ2 ）を備えたことを特徴とする扇風機。
【考案の詳細な説明】
【技術分野】
【０００１】
本考案は、扇風機に関する。
【背景技術】
【０００２】
一般に、扇風機は、送風機能を備えている。
【０００３】
しかし、使用者は、風による清涼感以外のものは得られなかった。
そこで、本考案は、香りによって快適に生活することができる扇風機を提供することを目的とする。
【考案の開示】
【考案が解決しようとする課題】
【０００４】
解決しようとする課題は、風による清涼感以外のものが得られない点である。
【課題を解決するための手段】
【０００５】
上述の目的を達成するために、本考案に係る扇風機は、羽根を取付けるネジ孔付きの締付部材に、中空収納部を形成して、該中空収納部に香りを発する芳香物質を収納したものである。
【０００６】
また、羽根を取付けるネジ孔付きの締付部材に、中空収納部を形成して、該中空収納部に香りを発する芳香物質を収納し、上記締付部材が、上記中空収納部を開閉可能として芳香物質を交換する開閉部を備えたものである。
【０００７】
また、後面カバー又はモータケーシングに、芳香物質を収納する芳香物質収納部材を付設し、該芳香物質収納部材の芳香物質収納部に芳香物質を収納したものである。
【０００８】
また、後面カバー又はモータケーシングに、芳香物質を収納する芳香物質収納部材を付設し、該芳香物質収納部材の芳香物質収納部に芳香物質を収納し、上記芳香物質収納部材が、上記芳香物質収納部を開閉可能として芳香物質を交換する開閉部を備えたものである。
【考案の効果】
【０００９】
本考案の扇風機によれば、香りによって快適に生活することができる。
【考案を実施するための最良の形態】
【００１０】
図１〜図３は、本考案の第１の実施の形態を示す。すなわち、本考案の扇風機は、送風するとともに、部屋（図示省略）に香りを送る。具体的には、羽根１を取付けるネジ孔２付きの樹脂製締付部材３に、中空収納部４が形成されている。そして、中空収納部４に香りを発する芳香物質５が収納されている。芳香物質５は、芳香剤から成り、例えば、ラベンダー、ローズマリー等の香りがする。なお、締付部材３は、ネジ孔２の部位を金属製としても良い。
【００１１】
締付部材３は、中空収納部４を開閉可能として芳香物質５を交換する開閉部Ｋ1 を備えている。具体的には、締付部材３は、その前面６に、孔７を有するとともに、孔７を施蓋する蓋８が設けられている。蓋８は、孔７に取付けるための弾発係止片９を有する。蓋８は、中空収納部４内の芳香物質５の香りを外部へ放散するための多数の小孔10を有する。11は、芳香物質５を収納するためのネットを示す。
【００１２】
次に、この扇風機の要部の組立方法について説明する。すなわち、まず、締付部材３の蓋８を外して（つまり、開閉部Ｋ1 を開放して）、中空収納部４に、芳香物質５をあらかじめネット11に入れたものを、収納する。その後、締付部材３の蓋８を閉鎖して（つまり、開閉部Ｋ1 を閉鎖して）、締付部材３のネジ孔２を、モータＭにて回転駆動される軸19の雄ネジ20と螺合させる。
【００１３】
図４は、第２の実施の形態を示す。すなわち、後面カバー12に、芳香物質５を収納する樹脂製芳香物質収納部材13が付設されている。具体的には、芳香物質収納部材13は、後面カバー12に係止する複数の係止片15を有する。芳香物質収納部材13の芳香物質収納部14に芳香物質５が収納されている。芳香物質収納部材13は、芳香物質収納部14を開閉可能として芳香物質５を交換する開閉部Ｋ2 を備えている。芳香物質収納部材13は、芳香物質収納部14内の芳香物質５の香りを外部へ放散するための多数の小孔17を、少なくともその前面18に有する。
【００１４】
次に、この扇風機の要部の組立方法について説明する。すなわち、芳香物質収納部材13の開閉部Ｋ2 を開放して、芳香物質５を収納する。その後、芳香物質収納部材13の係止片15を後面カバー12に係止させることにより固着する。
他の組立方法として、あらかじめ芳香物質収納部材13を後面カバー12に固着しておき、その後、芳香物質５を芳香物質収納部材13に収納するも良い。
【００１５】
図５は、第３の実施の形態を示す。すなわち、モータケーシング16に、芳香物質５を収納する芳香物質収納部材13が付設されている。具体的には、芳香物質収納部材13は、正面視円環状であって、モータケーシング16に外嵌状に付設されている。
【００１６】
次に、この扇風機の要部の組立方法について説明する。すなわち、芳香物質収納部材13の開閉部Ｋ2 を開放して、芳香物質５を収納する。その後、芳香物質収納部材13をモータケーシング16に外嵌させつつ、後面カバー12をモータケーシング16に付設する。
【００１７】
なお、本考案は、設計変更可能であって、例えば、芳香物質５が、天然植物のポプリから成るも良い。また、  羽根１を取付けるネジ孔２付きの締付部材３に、中空収納部４を形成して、中空収納部４に香りを発する芳香物質５を収納し、かつ、中空収納部４が、開閉部Ｋ1 を具備せず、中空収納部４に芳香物質５を収納しているものであっても良い。この場合、（中空収納部４に芳香物質５を収納した）締付部材３を、交換自在とするのが好ましい。
【００１８】
また、後面カバー12又はモータケーシング16に、芳香物質５を収納する芳香物質収納部材13を付設し、芳香物質収納部材13の芳香物質収納部14に芳香物質５を収納した第２の実施の形態に於て、芳香物質収納部材13が、開閉部Ｋ2 を具備せず、芳香物質収納部材13に芳香物質５を収納しているものであっても良い。この場合、（芳香物質収納部14に芳香物質５を収納した）芳香物質収納部材13を、交換自在とするのが好ましい。
【００１９】
以上のように、本考案は、羽根１を取付けるネジ孔２付きの締付部材３に、中空収納部４を形成して、中空収納部４に香りを発する芳香物質５を収納したので、風による清涼感以外に、芳香物質５の香りによって快適に生活することができる。特に、芳香物質５の香りが、風に乗って、部屋全体に拡散するので、部屋内のどこにいても、香りを感じることができる。そして、快適に過ごせるので、生活を楽しくすることができる。また、扇風機のデザインを保つことができる。
【００２０】
また、羽根１を取付けるネジ孔２付きの締付部材３に、中空収納部４を形成して、中空収納部４に香りを発する芳香物質５を収納し、締付部材３が、中空収納部４を開閉可能として芳香物質５を交換する開閉部Ｋ1 を備えたので、風による清涼感以外に、芳香物質５の香りによって快適に生活することができる。特に、芳香物質５の香りが、風に乗って、部屋全体に拡散するので、部屋内のどこにいても、香りを感じることができる。そして、快適に過ごせるので、生活を楽しくすることができる。また、扇風機のデザインを保つことができる。さらに、芳香物質５の香りが弱くなってきた場合、古い芳香物質５を新しい芳香物質５と交換することにより、再度、香りを強くして扇風機を使用することができる。
【００２１】
また、後面カバー12又はモータケーシング16に、芳香物質５を収納する芳香物質収納部材13を付設し、芳香物質収納部材13の芳香物質収納部14に芳香物質５を収納したので、風による清涼感以外に、芳香物質５の香りによって快適に生活することができる。特に、芳香物質５の香りが、風に乗って、部屋全体に拡散するので、部屋内のどこにいても、香りを感じることができる。そして、快適に過ごせるので、生活を楽しくすることができる。
【００２２】
また、後面カバー12又はモータケーシング16に、芳香物質５を収納する芳香物質収納部材13を付設し、芳香物質収納部材13の芳香物質収納部14に芳香物質５を収納し、芳香物質収納部材13が、芳香物質収納部14を開閉可能として芳香物質５を交換する開閉部Ｋ2 を備えたので、風による清涼感以外に、芳香物質５の香りによって快適に生活することができる。特に、芳香物質５の香りが、風に乗って、部屋全体に拡散するので、部屋内のどこにいても、香りを感じることができる。そして、快適に過ごせるので、生活を楽しくすることができる。さらに、芳香物質５の香りが弱くなってきた場合、古い芳香物質５を新しい芳香物質５と交換することにより、再度、香りを強くして扇風機を使用することができる。
【図面の簡単な説明】
【００２３】
【図１】本考案の第１の実施の形態を示す斜視図である。
【図２】要部分解斜視図である。
【図３】要部拡大断面側面図である。
【図４】第２の実施の形態を示す要部断面側面図である。
【図５】第３の実施の形態を示す要部断面側面図である。
【符号の説明】
【００２４】
１  羽根
２  ネジ孔
３  締付部材
４  中空収納部
５  芳香物質
12  後面カバー
13  芳香物質収納部材
14  芳香物質収納部
16  モータケーシング
Ｋ1   開閉部
Ｋ2   開閉部
【図１】
0003101884.tif 000003
【図２】
0003101884.tif 000004
【図３】
0003101884.tif 000005
【図４】
0003101884.tif 000006
【図５】
0003101884.tif 000007